(57)【要約】 【課題】バックライトアセンブリ及びそれを有する表示装置を提供すること。【解決手段】バックライトアセンブリは導光板及び光源を含む。導光板は、画像を表示する表示領域と重複して、第１側面及び第１側面と第１方向に離隔される第２側面を有する第１導光部、並びに、第１導光部下部で第１側面と第２側面との間に配置される第２導光部を含む。光源は、第１導光部の下部及び第２導光部の側部に配置される。従って、表示領域において輝度が均一となる。【選択図】図１
2013041827.tif 000002
【特許請求の範囲】
【請求項１】
第１側面及び前記第１側面と第１方向に離隔される第２側面を有する第１導光部、並びに、前記第１導光部の下部で前記第１側面と前記第２側面との間に配置される第２導光部を含む導光板と、
前記第１導光部の下部及び前記第２導光部の側部に配置される光源と、を含むことを特徴とするバックライトアセンブリ。
【請求項２】
前記２導光部は、前記第１側面と実質的に平行である第３側面及び前記第３側面から前記第１方向に離隔される第４側面を有することを特徴とする請求項１に記載のバックライトアセンブリ。
【請求項３】
前記第２導光部は、前記第１導光部の下部に配置され、
前記第２導光部の第３及び第４側面は、前記第１側面と前記第３側面との間に配置されることを特徴とする請求項２に記載のバックライトアセンブリ。
【請求項４】
前記光源は、前記第３側面に対して平行に配置されるか、前記光源は前記第３側面に対して鋭角をなすか、前記光源は前記第３側面に対して鈍角をなすか、前記光源は前記第３側面に対して垂直に配置されることを特徴とする請求項２に記載のバックライトアセンブリ。
【請求項５】
前記第２導光部の下面は、第１及び第２傾斜面によって「Ｖ」字状の面を形成することを特徴とする請求項２又は４に記載のバックライトアセンブリ。
【請求項６】
前記第１導光部及び前記第２導光部は、一体で形成されることを特徴とする請求項１に記載のバックライトアセンブリ。
【請求項７】
前記導光板は、前記第１導光部と前記第２導光部とを連結する連結部をさらに含むことを特徴とする請求項１に記載のバックライトアセンブリ。
【請求項８】
前記第２導光部は、前記第１側面に平行な第３側面、前記第３側面から前記第１方向に離隔される第４側面、前記第１導光部の下面と前記第３側面を連結する第１連結面、及び前記第１連結面から前記第１方向に離隔され、前記第１導光部の下面と前記第４側面を連結する第２連結面を含み、
前記第１導光部の下面、第２導光部の第１及び第２連結面は、溝を形成することを特徴とする請求項１に記載のバックライトアセンブリ。
【請求項９】
前記第１導光部は、第１サブ導光部及び前記第１サブ導光部と別途で形成された第２サブ導光部を含み、
前記第２導光部は前記第１サブ導光部下部に配置される第３サブ導光部及び前記第２サブ導光部の下部に配置される第４サブ導光部を含むことを特徴とする請求項１に記載のバックライトアセンブリ。
【請求項１０】
前記第２導光部は、前記第１側面に平行な第３側面、前記第３側面から前記第１方向に離隔される第４側面、及び前記第３側面と前記第４側面とを連結する下面を含み、
前記下面は前記第３側面から延伸した第１傾斜面及び前記第４側面から延伸して前記第３側面と前記第４側面とを連結する第２傾斜面を含むことを特徴とする請求項１に記載のバックライトアセンブリ。
【請求項１１】
第１側面及び前記第１側面と第１方向に離隔される第２側面を有する第１導光部、並びに、前記第１導光部の下部で前記第１側面と前記第２側面との間に配置される第２導光部を含む導光板と、前記第１導光部の下部及び前記第２導光部の側部に配置される光源と、を含むバックライトアセンブリと、
前記バックライトアセンブリ上に配置されて前記光を利用して画像を表示する表示パネルと、を含むことを特徴とする表示装置。
【発明の詳細な説明】
【技術分野】
【０００１】
本発明はバックライトアセンブリ及びそれを有する表示装置に関する。特に、中心型（ｃｅｎｔｅｒｅｄ  ｔｙｐｅ）バックライトアセンブリ及びそれを有する表示装置に関する。
【背景技術】
【０００２】
一般的に、表示装置は、画像を表示する表示領域及び表示領域を駆動する駆動部が配置される周辺領域に区分される表示パネル、表示パネルに光を提供するバックライトアセンブリ、並びに、表示パネル及びバックライトアセンブリを収納する収納容器を含む。
【０００３】
バックライトアセンブリは、光源の位置によって直下型（ｄｉｒｅｃｔ−ｉｌｌｕｍｉｎａｔｉｏｎ  ｔｙｐｅ）とエッジ型（ｅｄｇｅ−ｉｌｌｕｍｉｎａｔｉｏｎ  ｔｙｐｅ）に区分される。  
【０００４】
直下型バックライトアセンブリは、表示パネルの全体に対応する複数個の光源を含むので、製造原価が高く、表示装置の厚さが厚い。
【０００５】
従って、表示パネルの端縁に対応する複数個の光源を含むことにより、製造原価が相対的に低く、表示装置の厚さが相対的に薄くなるエッジ型バックライトアセンブリが用いられている。
【０００６】
エッジ型バックライトアセンブリは、光源及び光源から出射された光を表示パネルにガイドする導光板を含む。光源は表示パネルの周辺領域に配置されるベゼルによって隠される。したがって、これを含む表示装置は、少なくとも光源の幅ほどのベゼル幅を有する。
【０００７】
最近開発された中心型バックライトアセンブリでは、光源が隣接する導光板の間に配置される。これにより、中心型バックライトアセンブリは、光を表示パネルにガイドする。中心型バックライトアセンブリでは光源が表示領域に配置されるので、中心型バックライトアセンブリは、エッジ型バックライトアセンブリよりベゼル幅をさらに減少させることができる。
【０００８】
しかし、中心型バックライトアセンブリは、光源に対応する表示領域と導光板に対応する表示領域間において約１０倍程度の輝度差が発生する。光源に対応する表示領域に透過率の低い導光板を挿入したとしても、このような輝度差は解消しにくい。また、中心型バックライトアセンブリは、導光板の入光面にホットスポット（ｈｏｔ  ｓｐｏｔ）を防止するための機構を導入しなければならず、製造費用が増加し、隣接する導光板の間への光漏れによって輝度の均一性が減少する。また、導光板が離隔されることによりミスアライメントが発生する。
【先行技術文献】
【特許文献】
【０００９】
【特許文献１】米国特許出願公開２０１０／０２７１８０６号明細書
【特許文献２】韓国特許出願公開２０１０−００２４３２４号明細書
【特許文献３】特開２００７−０４８４６５号公報
【特許文献４】韓国特許出願公開２００８／０００２６５２号明細書
【発明の概要】
【発明が解決しようとする課題】
【００１０】
本発明の目的は、このような技術的課題に鑑みてなされたものであって、光漏れを最小化し、輝度を均一に維持できる中心型（ｃｅｎｔｅｒｅｄ  ｔｙｐｅ）バックライトアセンブリを提供することにある。
【課題を解決するための手段】
【００１１】
上述した本発明の目的を実現するための一実施形態に係るバックライトアセンブリは導光板及び光源を含む。導光板は、第１側面及び第１側面と第１方向に離隔される第２側面を有する第１導光部、並びに、第１導光部の下部で第１側面と第２側面との間に配置される第２導光部を含む。光源は第１導光部の下部及び第２導光部の側部に配置される。
【００１２】
一実施形態において、第２導光部は第１側面と実質的に平行である第３側面及び第３側面から第１方向に離隔される第４側面を有してもよい。
【００１３】
一実施形態において、第２導光部は第１導光部の下部に配置され、第２導光部の第３側面及び第４側面は、第１側面と第３側面との間に配置されてもよい。
【００１４】
一実施形態において、第２導光部は第１導光部の中心に隣接するように配置されてもよい。
【００１５】
一実施形態において、第２導光部は第１方向と垂直な第２方向に延伸するストライプ状を有してもよい。
【００１６】
一実施形態において、光源は第３側面に対して平行に配置されてもよい。
【００１７】
一実施形態において、第１導光部と第２導光部のうち、少なくとも一つの下部に配置される反射部材をさらに含んでもよい。
【００１８】
一実施形態において、反射部材は、第１導光部の下部に配置され、第１エッジがグルーブ上に配置される第１反射部材、及び第２導光部の下部に配置される第２反射部材を含んでもよい。
【００１９】
一実施形態において、第１反射部材と第２反射部材との間に配置される光漏れ防止部材をさらに含んでもよい。
【００２０】
一実施形態において、光源を収納する放熱部材をさらに含んでもよい。
【００２１】
一実施形態において、導光板アセンブリは「Ｔ」字状の断面を有してもよい。
【００２２】
一実施形態において、光源は第３側面に対して鋭角をなしてもよい。
【００２３】
一実施形態において、第１導光部と第２導光部のうち、少なくとも一つの下部に配置される反射部材をさらに含んでもよい。
【００２４】
一実施形態において、反射部材は、第１導光部の下部に配置され、第１エッジがグルーブ上に配置される第１反射部材、及び第２導光部の下部に配置される第２反射部材を含んでもよい。
【００２５】
一実施形態において、第１反射部材と第２反射部材との間に配置される光漏れ防止部材をさらに含んでもよい。
【００２６】
一実施形態において、光源を収納する放熱部材をさらに含んでもよい。
【００２７】
一実施形態において、導光板アセンブリは「Ｔ」字状の断面を有してもよい。
【００２８】
一実施形態において、光源は第３側面に対して鈍角をなしてもよい。
【００２９】
一実施形態において、第１導光部と第２導光部のうち少なくとも一つの下部に配置される反射部材をさらに含んでもよい。
【００３０】
一実施形態において、反射部材は、第１導光部の下部に配置され、第１エッジがグルーブ上に配置される第１反射部材、及び第２導光部の下部に配置される第２反射部材を含んでもよい。
【００３１】
一実施形態において、第１反射部材と第２反射部材との間に配置される光漏れ防止部材をさらに含んでもよい。
【００３２】
一実施形態において、光源を収納する放熱部材をさらに含んでもよい。
【００３３】
一実施形態において、導光板アセンブリは「Ｔ」字状の断面を有してもよい。
【００３４】
一実施形態において、光源は第３側面に対して垂直に配置されてもよい。
【００３５】
一実施形態において、第１導光部と第２導光部のうち少なくとも一つの下部に配置される反射部材をさらに含んでもよい。
【００３６】
一実施形態において、反射部材は、第１導光部の下部に配置され、第１エッジがグルーブ上に配置される第１反射部材、及び第２導光部の下部に配置される第２反射部材を含んでもよい。
【００３７】
一実施形態において、第１反射部材と第２反射部材との間に配置される光漏れ防止部材をさらに含んでもよい。
【００３８】
一実施形態において、光源を収納する放熱部材をさらに含んでもよい。
【００３９】
一実施形態において、導光板アセンブリは「Ｔ」字状の断面を有してもよい。
【００４０】
一実施形態において、第２導光部の下面は第１傾斜面及び第２傾斜面によって断面相が「Ｖ」字状を有してもよい。
【００４１】
一実施形態において、第１傾斜面が第２傾斜面と接する点は尖っているか、または、ラウンド状であってもよい。
【００４２】
一実施形態において、第１導光部と第２導光部のうち少なくとも一つの下部に配置される反射部材をさらに含んでもよい。
【００４３】
一実施形態において、反射部材は、第１導光部の下部に配置され、第１エッジがグルーブ上に配置される第１反射部材、及び第２導光部の下部に配置される第２反射部材を含んでもよい。
【００４４】
一実施形態において、第２反射部材は第１傾斜面に対応する第１反射部及び第２傾斜面に対応する第２反射部を含んでもよい。
【００４５】
一実施形態において、第１反射部材と第２反射部材との間に配置される光漏れ防止部材をさらに含んでもよい。
【００４６】
一実施形態において、光源を収納する放熱部材をさらに含んでもよい。
【００４７】
一実施形態において、放熱部材は側面及び側面を連結する底面を含み、底面は第１傾斜面に対応する第１底部及び第２傾斜面に対応する第２底部を含んでもよい。
【００４８】
一実施形態において、導光板アセンブリは「Ｔ」字状の断面を有してもよい。
【００４９】
一実施形態において、第１導光部及び第２導光部は一体で形成されてもよい。
【００５０】
一実施形態において、導光板は第１導光部と第２導光部を連結する連結部をさらに含んでもよい。
【００５１】
一実施形態において、第１導光部は第１方向への第１幅を有し、第２導光部は第１幅より小さい第１方向への第２幅を有し、連結部は第２幅より小さい第１方向への第３幅を有してもよい。第１導光部、第２導光部、及び連結部は、溝を形成するとよい。
【００５２】
一実施形態において、第１導光部の下面上に配置され、第１端縁が溝に挿入される第１反射部材をさらに含んでもよい。
【００５３】
一実施形態において、第１反射部材と第２導光部との間に配置される光漏れ防止パターンをさらに含んでもよい。
【００５４】
一実施形態において、第１反射部材と第２導光部及び光源との間に配置される光漏れ防止パターンをさらに含んでもよい。光漏れ防止パターンは第２導光部から光源まで延伸されてもよい。
【００５５】
一実施形態において、溝は第１導光部の下面、第２導光部の上面、及び延長部の側面によって「コ」字状を有してもよい。
【００５６】
一実施形態において、連結部は第１導光部及び第２導光部と同じ屈折率を有する接着剤であってもよい。
【００５７】
一実施形態において、第２導光部は第１側面に平行な第３側面、第３側面から第１方向に離隔される第４側面、第１導光部の下面と第３側面とを連結する第１連結面、及び、第１連結面から第１方向に離隔され、第１導光部の下面と第４側面とを連結する第２連結面を含んでもよい。第１導光部の下面、第２導光部の第１連結面及び第２連結面は溝を形成してもよい。
【００５８】
一実施形態において、第１連結面は第１導光部の下面に対して鋭角をなし、第２導光部の第１側面に対して鈍角をなす第１傾斜面であってもよい。第２連結面は第１導光部の下面に対して鋭角をなし、第２導光部の第２側面に対して鈍角をなす第２傾斜面であってもよい。溝は第１導光部の下面と第２導光部の第１連結面及び第２連結面によって「Ｖ」字状を有してもよい。
【００５９】
一実施形態において、第１及び第２連結面は第１導光部の下面に向かって突出した第１凸面及び第２凸面であってもよい。
【００６０】
一実施形態において、第１導光部は、第１サブ導光部及び第１サブ導光部と別途で形成された第２サブ導光部を含んでもよい。第２導光部は第１サブ導光部下部に配置される第３サブ導光部及び第２サブ導光部下部に配置される第４サブ導光部を含んでもよい。
【００６１】
一実施形態において、導光板は第１導光部と第３導光部を連結する第１連結部、第２導光部と第４導光部を連結する第２連結部、及び第１及び第３導光部と、第２及び第４導光部とを連結する第３連結部をさらに含んでもよい。
【００６２】
一実施形態において、第２反射部材は金属物質を含んでもよい。
【００６３】
一実施形態において、第１及び第２連結部は第１及び第２導光部と同じ屈折率を有する接着剤であってもよい。
【００６４】
一実施形態において、光源は第２導光部に対して傾斜してもよい。
【００６５】
一実施形態において、バックライトアセンブリは第３反射部材及び放熱部材をさらに含んでもよい。第３反射部材は、第２導光部及び光源下部に配置されて第２導光部から光源まで延伸されてもよい。放熱部材は第２導光部、光源、及び第３反射部材を収納する収納空間を有してもよい。
【００６６】
一実施形態において、光源は第２反射部材に対して鋭角をなしてもよい。放熱部材は第３反射部材と平行となる底部及び底部から延伸して底部に対して鋭角をなす側面部を含んでもよい。
【００６７】
一実施形態において、光源は第３反射部材に対して鈍角を有してもよい。放熱部材は第３反射部材と平行となる底部及び底部から延伸して底部に対して鈍角をなす側面部を含んでもよい。
【００６８】
一実施形態において、第２導光部は第１側面に平行な第３側面、第３側面から第１方向に離隔される第４側面、及び第３側面と第４側面を連結する下面を含んでもよい。下面は第３側面から延伸した第１傾斜面、及び、第４側面から延伸し第３側面と第４側面を連結する第２傾斜面を含んでもよい。
【００６９】
一実施形態において、第１及び第２傾斜面は、第３及び第４側面に対して各々鋭角をなしてもよい。
【００７０】
一実施形態において、バックライトアセンブリは第３反射部材及び放熱部材をさらに含んでもよい。第３反射部材は、第２導光部及び光源下部に配置され、第１傾斜面に対応する第１反射部及び第１反射部から延伸して第２傾斜面に対応する第２反射部を含んでもよい。放熱部材は第１傾斜面に対応する第１底部、第１底部から延伸して第２傾斜面に対応する第２底部、並びに、第１及び第２底部の各々から延伸した側面部を含み、第２導光部、光源、及び第３反射部材を収納する収納空間を有してもよい。
【発明の効果】
【００７１】
このようなバックライトアセンブリによると、光源ユニットが画像を表示する表示領域と重複して配置されることによって、表示領域を取り囲むベゼル領域のサイズを減少させることができる。
【００７２】
また、光源ユニットが第１反射部材下部に配置されることによって、光漏れ及びホットスポット（ｈｏｔ  ｓｐｏｔ）の発生を防止することができる。
【００７３】
また、導光板の第２導光部の形状を変更することによって、導光板の第１導光部に光を効率的にガイドすることができる。
【００７４】
従って、表示装置に視認される輝線または暗線の発生を防止することができる。
【図面の簡単な説明】
【００７５】
【図１】本発明の一実施形態に係る表示装置の分解斜視図である。
【図２】図１の表示装置のＩ−Ｉ’ラインに沿って切断した断面図である。
【図３】本発明の他の実施形態に係るバックライトアセンブリの断面図である。
【図４】本発明のさらに他の実施形態に係るバックライトアセンブリの断面図である。
【図５】本発明のさらに他の実施形態に係るバックライトアセンブリの断面図である。
【図６】本発明のさらに他の実施形態に係るバックライトアセンブリの断面図である。
【図７】本発明のさらに他の実施形態に係るバックライトアセンブリの断面図である。
【図８】本発明のさらに他の実施形態に係るバックライトアセンブリの断面図である。
【図９】本発明のさらに他の実施形態に係るバックライトアセンブリの断面図である。
【図１０】本発明のさらに他の実施形態に係るバックライトアセンブリの断面図である。
【図１１】本発明のさらに他の実施形態に係るバックライトアセンブリの断面図である。
【図１２】本発明のさらに他の実施形態に係るバックライトアセンブリの断面図である。
【図１３】本発明のさらに他の実施形態に係るバックライトアセンブリの断面図である。
【図１４】本発明のさらに他の実施形態に係るバックライトアセンブリの断面図である。
【発明を実施するための形態】
【００７６】
以下、添付した図面を参照して、本発明の望ましい実施形態をより詳細に説明する。
【００７７】
図１は本発明の一実施形態に係る表示装置の分解斜視図である。図２は図１の表示装置のＩ−Ｉ’ラインに沿って切断した断面図である。
【００７８】
図１及び図２を参照すれば、本実施形態に係る表示装置１０００は、表示パネル１００、バックライトアセンブリ２００、及び収納容器を含む。
【００７９】
表示パネル１００は、第１表示基板１１０、第１表示基板１１０に対向する第２表示基板１２０、及び第１表示基板１１０と第２表示基板１２０との間に配置される液晶層（図示せず）を含む。表示パネル１００は画像を表示する表示領域ＤＡ及び表示領域ＤＡのスイッチング素子を駆動する駆動部が形成される周辺領域ＰＡを含む。表示領域ＤＡは、第１表示基板１１０と第２表示基板１２０が重複する領域であってもよい。
【００８０】
表示領域ＤＡには、ゲートライン、ゲートラインと交差するデータライン、ゲートラインとデータラインに連結されたスイッチング素子、及びスイッチング素子に連結された画素電極を含む複数の画素部Ｐが形成される。周辺領域ＰＡには、データラインに駆動信号を提供するデータ駆動部が実装される。これとは違って、周辺領域ＰＡにはゲートラインに駆動信号を提供するゲート駆動部がさらに形成されてもよい。
【００８１】
バックライトアセンブリ２００は、表示パネル１００下部に配置され、光を表示パネル１００に提供する。バックライトアセンブリ２００は、導光板２１０、光源ユニット２２０、第１反射部材２３０、第２反射部材２４０、光学部材２５０及び放熱部材９００を含む。
【００８２】
導光板２１０は、第１導光部２１１、第２導光部２１３及び連結部２１５を含む。
【００８３】
第１導光部２１１は、表示パネル１００下部に配置され、表示領域ＤＡの全体と重複する。第１導光部２１１は平面上第１方向Ｄ１への第１幅Ｗ１及び第１方向Ｄ１と交差する第２方向Ｄ２への第２幅Ｗ２を有する四角形状を有する。
【００８４】
第１導光部２１１は、第１側面２１２ａ、第１側面２１２ａと対向する第２側面２１２ｂ、第１側面２１２ａと第２側面２１２ｂを連結する第３側面２１２ｃ、及び第３側面２１２ｃと対向する第４側面２１２ｄを有してもよい。第１側面２１２ａは第２側面２１２ｂと第１方向Ｄ１に第１幅Ｗ１ほど離隔されてもよい。第３側面２１２ｃは第４側面２１２ｄと第２方向Ｄ２に第１幅Ｗ１より小さい第２幅Ｗ２ほど離隔されてもよい。
【００８５】
第２導光部２１３は、第１導光部２１１の第１側面２１２ａと第２側面２１２ｂとの間の中心に隣接した第１導光部２１１の下部に配置される。第２導光部２１３は、平面上において第１方向Ｄ１への第３幅Ｗ３及び第２方向Ｄ２への第４幅Ｗ４を有する四角形状を有する。
【００８６】
第２導光部２１３は第１導光部２１１の第１側面２１２ａと平行となる第１側面２１４ａ、第１側面２１４ａと対向する第２側面２１４ｂ、第１側面２１４ａと第２側面２１４ｂとを連結する第３側面２１４ｃ、及び第３側面２１４ｃと対向する第４側面２１４ｄを有してもよい。第２導光部２１３の第１側面２１４ａは、第２導光部２１３の第２側面２１４ｂと第１方向Ｄ１に第１幅Ｗ１より小さい第３幅Ｗ３ほど離隔されてもよい。第３側面２１４ｃは、第４側面２１４ｄと第２方向Ｄ２に第２幅Ｗ２と同じ第４幅Ｗ４ほど離隔されてもよい。これとは違って、第４幅Ｗ４は第２幅Ｗ２より小さいこともある。
【００８７】
連結部２１５は第１導光部２１１から延伸し、第２導光部２１３は連結部２１５から延伸される。即ち、第１導光部２１１、第２導光部２１３、及び連結部２１５は、一体で形成される。連結部２１５は、第３幅Ｗ３より小さい第１方向Ｄ１への第５幅Ｗ５を有する。
【００８８】
従って、第１導光部２１１の下面、第１導光部２１１の下面と向かい合う第２導光部２１３の上面及び連結部２１５の側面は、「コ」字状の溝Ｇを形成する。
【００８９】
導光板２１０は第１導光部２１１、第２導光部２１３、及び連結部２１５により「Ｔ」字状を有してもよい。導光板２１０は光源ユニット２２０から提供された光を第２導光部２１３、連結部２１５、及び第１導光部２１１を経て表示パネル１００にガイドする。本実施形態において、導光板２１０は、互いに分離した第１導光部２１１及び第２導光部２１３を含む。しかし、第１導光部２１１が第２導光部２１３と一体で形成されることもできる。この時、導光板２１０は、「Ｔ」字状で射出成形されてもよい。
【００９０】
光源ユニット２２０は、第１導光部２１１の下部及び第２導光部２１３の側部に配置される。即ち、光源ユニット２２０は、表示領域ＤＡの全体と重複する第１導光部２１１の下部に配置される。従って、光源ユニット２２０が表示領域ＤＡ内に配置されても、光源ユニット２２０は表示パネル１００に直接光を提供しないで、第１導光部２１１下部に配置された第２導光部２１３を介して表示パネル１００に光を提供するので、光源ユニット２２０に対応した表示領域ＤＡでの光漏れを減少させることができる。
【００９１】
また、光源ユニット２２０は、表示パネル１００に均一な光を提供することができる。さらに、光源ユニット２２０が表示領域ＤＡと重なるので、光源ユニット２２０を隠すベゼル領域を必要としないので、表示装置１０００のベゼルの幅を減少させることができる。  
【００９２】
光源ユニット２２０は光源２２１及び印刷回路基板（ＰＣＢ）２２２を含む。
光源２２１はＰＣＢ２２２上に実装されてＰＣＢ２２２に電気的に連結される。光源２２１及びＰＣＢ２２２は、第２導光部２１３の第１及び第２側面２１４ａ、２１４ｂに対して平行に配置される。光源２２１の出光面２２１ａは、第２導光部２１３の第１及び第２側面２１４ａ、２１４ｂのうち少なくとも一つと向かい合う。光源２２１は発光ダイオード、冷陰極蛍光管（ＣＣＦＬ）などを含む。
【００９３】
第１反射部材２３０は、連結部２１５が形成されていない第１導光部２１１の下部に配置されて、第１導光部２１１の下面をカバーする。第１反射部材２３０は、第１導光部２１１と、第２導光部２１３及び光源ユニット２２０との間に配置される。第１反射部材２３０の第１端縁は溝Ｇに挿入し固定される。従って、連結部２１５は第１導光部２１１から延伸して第１反射部材２３０の厚さ以上の厚さを有してもよい。第１反射部材２３０は光を第１導光部２１１に反射する。
【００９４】
第２反射部材２４０は第２導光部２１３及び光源２１１下部に配置される。例えば、第２反射部材２４０は、第２導光部２１３の第１側面２１４ａと向かい合う光源ユニット２２０から第２導光部２１３の第２側面２１４ｂと向かい合う光源ユニット２２０まで延伸される。従って、第２反射部材２４０は、第１方向Ｄ１に第３幅Ｗ３より大きい第６幅Ｗ６を有してもよい。第２反射部材２４０は光を第２導光部２１１に反射する。
【００９５】
第１及び第２反射部材２３０、２４０は、銀（Ａｇ）のような金属物質を含んでもよい。
【００９６】
例えば、光源２２１から提供された光は第２反射部材２４０により反射されて第２導光部２１３、連結部２１５、及び第１導光部２１１を経て表示パネル１００に提供されたり、または、第２導光部２１３、連結部２１５、及び第１導光部２１１を経て表示パネル１００に提供されることができる。
【００９７】
光学部材２５０は、表示パネル１００と導光板２１０との間に配置される。光学部材２５０は導光板２１０により表示パネル１００にガイドされた光を拡散し、集光し、均一化する。
【００９８】
また、図示はしていないが、第１導光部２１１の第１〜第４側面２１２ａ、２１２ｂ、２１２ｃ、２１２ｄ、及び、第２導光部２１３の第３及び第４側面２１４ｃ、２１４ｄ上にも反射部材がさらに配置されてもよい。
【００９９】
放熱部材９００は側面９１０及びの側面９１０を連結する底面９２０を含む。側面９１０は底面９２０から底面９２０に対して垂直方向に延伸される。例えば、放熱部材９００は第２導光部２１３の第１及び第２側面２１４ａ、２１４ｂに対応する側面９１０のみを含み、光源ユニット２２０、第２導光部２１３、及び第２反射部材２４０をカバーするように第２方向Ｄ２にスライドするように結合されるとよい。
【０１００】
これとは違って、放熱部材９００は第２導光部２１３の第１〜第４側面２１４ａ、２１４ｂ、２１４ｃ、２１４ｄに対応する側面９１０を含み、光源ユニット２２０、第２導光部２１３、及び第２反射部材２４０をカバーするように結合されてもよい。
【０１０１】
放熱部材９００は、金属物質を含んで光源ユニット２２０から発生する熱を外部に容易に放出することができる。
【０１０２】
収納容器は、トップシャーシ１０及びボトムシャーシ２０をさらに含んでもよい。トップシャーシ１０は、ボトムシャーシ２０と締結されて、表示パネル１００及びバックライトアセンブリ２００を収納する。
【０１０３】
トップシャーシ１０は、表示領域ＤＡを露出する開口部１１を含む。ボトムシャーシ２０は、第１側面２１、第１側面２１を連結する第１底面２２、第１側面２１と平行となる第２側面２３、及び第１側面２１と第２側面２３とを連結する第２底面２４を含む。
【０１０４】
第１側面２１は、第１底面２２から第１底面２２に対して垂直方向に延伸して第１収納空間を形成する。第１収納空間には導光板２１０の第２導光部２１３、光源ユニット２２０、及び第２反射部材２４０が収納される。
【０１０５】
第２底面２４は、第１側面２１から第１底面２２と平行な方向に延伸される。第２底面２４は第１底面２２と重複しない。
【０１０６】
第２側面２３は、第２底面２４から第１側面２１と平行な方向に延伸して第２収納空間を形成する。第２収納空間には導光板２１０の第１導光部２１１、第１反射部材２３０、及び光学部材２５０が収納される。
【０１０７】
本実施形態によると、光源ユニット２２０が第１導光部２１１下部に配置されることによって、表示装置１０００のベゼルのサイズを減少させることができる。
【０１０８】
また、光源ユニット２２０が第１反射部材２３０下部に配置されることによって、光漏れを防止することができる。
【０１０９】
図３は本発明の他の実施形態に係るバックライトアセンブリの断面図である。
【０１１０】
本実施形態に係るバックライトアセンブリは連結部を除いては図１に図示した実施形態に係るバックライトアセンブリと実質的に同一であるので、同じ構成に対して同じ参照番号を付与し、重複する説明は省略する。
【０１１１】
図３を参照すれば、本実施形態に係るバックライトアセンブリの導光板３１０は第１導光部２１１、第２導光部２１３、及び連結部３１５を含む。本実施形態において、導光板３１０は、互いに分離した第１導光部２１１及び第２導光部２１３を含む。しかし、第１導光部２１１が第２導光部２１３と一体で形成されることもできる。この時、導光板３１０は、「Ｔ」字状で射出成形されてもよい。
【０１１２】
連結部３１５は、第１及び第２導光部２１１、２１３と同じ屈折率を有する光学接着剤である。連結部３１５は、第１導光部２１１と第２導光部２１３との間に配置されて、第１導光部２１１に第２導光部２１３を接着する。即ち、第１導光部２１１は第２導光部２１３と別途で形成されて連結部３１５によって接着される。連結部２１５は第３幅Ｗ３より小さい第１方向Ｄ１への第５幅Ｗ５を有する。
【０１１３】
連結部３１５は第１導光部２１１に第２導光部２１３を固定することができる。
【０１１４】
従って、導光板３１０は、第１導光部２１１の下部及び第２導光部２１３の側部に配置された光源ユニット２２０から提供された光を表示パネル１００に提供することができる。
【０１１５】
本実施形態によると、「Ｔ」字状の導光板を射出しなくても、別途で形成された第１及び第２導光部２１１、２１３を接着して「Ｔ」字状の導光板を形成することができる。従って、光源２２１を表示領域ＤＡ内の第１導光部２１１の下部及び第２導光部２１３の側部に配置することができる。
【０１１６】
図４は、本発明のさらに他の実施形態に係るバックライトアセンブリの断面図である。
【０１１７】
本実施形態に係るバックライトアセンブリは導光板を除いては図１に図示した実施形態に係るバックライトアセンブリと実質的に同一であるので、同じ構成に対して同じ参照番号を付与して、重複する説明は省略する。
【０１１８】
図４を参照すれば、本実施形態に係るバックライトアセンブリの導光板４１０は第１導光部４１１、第２導光部４１３、第１及び第２連結部４１５、４１６、並びに、第３反射部材４１７を含む。本実施形態において、導光板４１０は互いに分離した第１導光部４１１及び第２導光部４１３を含む。しかし、第１導光部４１１が第２導光部４１３と一体で形成されることもできる。この時、導光板４１０は、「Ｔ」字状で射出成形されてもよい。
【０１１９】
第１導光部４１１は、表示パネル１００下部に配置されて、表示領域ＤＡの全体と重複する。第１導光部４１１は第１サブ導光部４１１ａ及び第１サブ導光部４１１ａと別途で形成され、第１サブ導光部４１１ａと対称となる第２サブ導光部４１１ｂを含む。
【０１２０】
第１サブ導光部４１１ａは、第１側面４１２ａ及び第１側面４１２ａと対向する第２側面４１２ｂを含む。第２サブ導光部４１１ｂは、第２側面４１２ｂと対向する第３側面４１２ｃ及び第３側面４１２ｄと対向する第４側面４１２ｄを含む。
【０１２１】
第１サブ導光部４１１ａの第１側面４１２ａは、第２サブ導光部４１１ｂの第４側面４１２ｄと第１方向Ｄ１に第１幅Ｗ１ほど離隔されてもよい。
【０１２２】
第２導光部４１３は、第１導光部４１１の下部に配置され、前記第１サブ導光部４１１ａの第２側面４１２ｂに隣接した部分、及び、第２サブ導光部４１１ｂの第３側面４１２ｃに隣接した部分と重複する。第２導光部４１３は、第１サブ導光部４１１ａの下部に配置される第３サブ導光部４１３ａ、及び、第３サブ導光部４１３ａと別途で形成されて第３サブ導光部４１３ａと対称となって第２サブ導光部４１１ｂの下部に配置される第４サブ導光部４１３ｂを含む。
【０１２３】
第３サブ導光部４１３ａは、第１側面４１４ａ及び第１側面４１４ａと対向する第２側面４１４ｂを含む。第４サブ導光部４１３ｂは、第２側面４１４ｂと対向する第３側面４１４ｃ及び第３側面４１４ｃと対向する第４側面４１４ｄを含む。
【０１２４】
光源ユニット２２０が表示パネル１００の表示領域ＤＡに対応して配置されるように第３サブ導光部４１３ａの第１側面４１４ａは、第４サブ導光部４１３ｂの第４側面４１４ｄと第１方向Ｄ１に第１幅Ｗ１より小さい第３幅Ｗ３ほど離隔されてもよい。
【０１２５】
第１連結部４１５は、第１サブ導光部４１１ａから延伸して、第３サブ導光部４１３ａは第１連結部４１５から延伸される。即ち、第１サブ導光部４１１ａ、第３サブ導光部４１３ａ、及び第１連結部４１５は一体で形成される。
【０１２６】
第２連結部４１６は、第２サブ導光部４１１ｂから延伸し、第４サブ導光部４１３ｂは第２連結部４１６から延伸される。即ち、第２サブ導光部４１１ｂ、第４サブ導光部４１３ｂ及び第２連結部４１６は一体で形成される。
【０１２７】
前記第１連結部４１５及び前記第２連結部４１６の各々は、前記第１方向Ｄ１に第７幅Ｗ７を有する。
【０１２８】
従って、第１サブ導光部４１１ａの下面、第１サブ導光部４１１ａの下面と向かい合う第３サブ導光部４１３ａの上面及び第１連結部４１５の側面は、「コ」字状の第１溝Ｇ１を形成する。また、第２サブ導光部４１１ｂの下面、第２サブ導光部４１１ｂの下面と向かい合う第４サブ導光部４１３ｂの上面及び第２連結部４１６の側面は「コ」字状の第２溝Ｇ２を形成する。
【０１２９】
第３反射部材４１７は、互いに対称となる第１サブ導光部４１１ａ、第１連結部４１５、及び第３サブ導光部４１３ａと、第２サブ導光部４１１ｂ、第２連結部４１６、及び第４サブ導光部４１３ｂとの間に配置される。
【０１３０】
第３反射部材４１７と、第１サブ導光部４１１ａ、第１連結部４１５及び第３サブ導光部４１３ａとの間、並びに、第３反射部材４１７と、第２サブ導光部４１１ｂ、第２連結部４１６及び第４サブ導光部４１３ｂとの間には、第１及び第２導光部４１１、４１３のような屈折率を有する光学接着剤が配置されてもよい。
【０１３１】
第１及び第２連結部４１５、４１６と、第３反射部材４１７の第１方向Ｄ１への幅の合計Ｗ５は、第３幅Ｗ３より小さい。
【０１３２】
本実施形態によると、第３反射部材４１７が一体で形成された第１及び第３サブ導光部４１１ａ、４１３ａと、一体で形成された第２及び第４サブ導光部４１１ｂ、４１３ｂとの間に配置される。これにより、光源から提供されて第２反射部材２４０により反射された光は、第３反射部材４１７により第１導光部２１１に提供される。
【０１３３】
図５は本発明のさらに他の実施形態に係るバックライトアセンブリの断面図である。
【０１３４】
本実施形態に係るバックライトアセンブリは、第１及び第２連結部を除いては、図４に図示した実施形態に係るバックライトアセンブリと実質的に同一であるので、同じ構成に対して同じ参照番号を付与して、重複する説明は省略する。
【０１３５】
図５を参照すれば、本実施形態に係るバックライトアセンブリの導光板５１０は、第１導光部４１１、第２導光部４１３、連結部５１５、及び第３反射部材４１７を含む。本実施形態において、導光板５１０は、互いに分離した第１導光部４１１及び第２導光部４１３を含む。しかし、第１導光部４１１は第２導光部４１３と一体で形成されてもよい。この時、導光板５１０は「Ｔ」字状で射出成形されてもよい。
【０１３６】
連結部５１５は、第１導光部４１１及び第２導光部４１３と同じ屈折率を有する光学接着剤である。連結部５１５は、第１サブ導光部４１１ａと第３サブ導光部４１３ａとの間、第２サブ導光部４１１ｂと第４サブ導光部４１３ｂとの間に配置される。従って、連結部５１５は、第１サブ導光部４１１ａに第３サブ導光部４１３ａを接着して、第２サブ導光部４１１ｂに第４サブ導光部４１３ｂを接着する。
【０１３７】
本実施形態によると、導光部を射出しなくても、別途で形成された第１及び第３サブ導光部４１１ａ、４１３ａと、第２及び第４サブ導光部４１１ｂ、４１３ｂを連結部５１５により接着することによって、望む形状を具現化することができる。
【０１３８】
図６は本発明のさらに他の実施形態に係るバックライトアセンブリの断面図である。
【０１３９】
本実施形態に係るバックライトアセンブリは光源ユニット及び収納容器を除いては、図１に図示した実施形態に係るバックライトアセンブリと実質的に同一であるので、同じ構成に対して同じ参照番号を付与して、重複する説明は省略する。
【０１４０】
図６を参照すれば、本実施形態に係るバックライトアセンブリの光源ユニット３２０は第１導光部２１１の下部に配置される。即ち、光源ユニット３２０は表示領域ＤＡの全体と重複する第１導光部２１１の下部に配置されるので、表示領域ＤＡと重複して配置される。光源ユニット３２０は光源３２１及びＰＣＢ３２２を含む。
【０１４１】
光源３２１はＰＣＢ３２２上に実装されてＰＣＢ３２２に電気的に連結される。光源３２１及びＰＣＢ３２２は、第２反射部材２４０に対して鋭角（θ）をなす。即ち、第１導光部２１１に隣接した光源３２１及びＰＣＢ３２２の第１端部が、第１導光部２１１に遠い光源３２１及びＰＣＢ３２２の第２端部よって第２導光部２１３に隣接するように配置される。従って、光源３２１の出光面３２１ａは第２導光部２１３の第１及び第２側面２１４ａ、２１４ｂに対して平行でない。
【０１４２】
本実施形態に係る表示装置５０００の放熱部材９００Ａは側面９１０Ａ及びの側面９１０Ａを連結する底面９２０Ａを含む。の側面９１０Ａは底面９２０Ａに対して鋭角（θ）をなす。
【０１４３】
放熱部材９００Ａは第２導光部２１３の第１及び第２側面２１４ａ、２１４ｂに対応する側面９１０Ａのみを含み、光源ユニット３２０、第２導光部２１３、及び第２反射部材２４０に第２方向Ｄ２にスライドするように結合されることができる。
【０１４４】
これとは違って、放熱部材９００Ａは第２導光部２１３の第１〜第４側面２１４ａ、２１４ｂ、２１４ｃ、２１４ｄに対応する側面９１０Ａを含み、光源ユニット３２０、第２導光部２１３、及び第２反射部材２４０に結合されてもよい。
【０１４５】
放熱部材９００Ａは金属物質を含んで光源ユニット３２０から発生する熱を外部に容易に放出することができる。
【０１４６】
本実施形態に係る導光板は図１に図示した実施形態に係る導光板を採用したことを例として説明したが、図３、５に図示した実施形態に係る導光板を採用することができる。
【０１４７】
本実施形態によると、光源３２１が第２導光部２１３の第１及び第２側面２１４ａ、２１４ｂに対して所定角度で傾いて配置されることによって、光源から出射される光が第２反射部材２４０に反射されて第２導光部２１３を介して第１導光部２１１に効率的に提供される。従って、光源３２１から出射される光が向かい合う他の光源に提供されることを防止して光の損失を減少させることができる。
【０１４８】
図７は本発明のさらに他の実施形態に係るバックライトアセンブリの断面図である。
【０１４９】
本実施形態に係るバックライトアセンブリは、光源ユニット及び収納容器を除いては図１に図示した実施形態に係るバックライトアセンブリと実質的に同一であるので、同じ構成に対して同じ参照番号を付与して、重複する説明は省略する。
【０１５０】
図７を参照すれば、本実施形態に係るバックライトアセンブリの光源ユニット４２０は第１導光部２１１の下部に配置される。即ち、光源ユニット４２０は表示領域ＤＡの全体と重複する第１導光部２１１の下部に配置されるので、表示領域ＤＡと重複して配置される。光源ユニット４２０は光源４２１及びＰＣＢ４２２を含む。
【０１５１】
光源４２１はＰＣＢ４２２上に実装されてＰＣＢ４２２に電気的に連結される。光源４２１及びＰＣＢ４２２は第２反射部材２４０に対して鈍角（θ）をなす。即ち、光源４２１及びＰＣＢ４２２は、第１導光部２１１に最も近い第１端部と、第１導光部２１１から最も離れた第２端部とによって第２導光部２１３に隣接するように配置される。
【０１５２】
本実施形態に係る表示装置５０００の放熱部材９００Ｂは側面９１０Ｂ及び側面９１０Ｂを連結する底面９２０Ｂを含む。側面９１０Ｂは底面９２０Ｂに対して鈍角（θ）をなす。
【０１５３】
放熱部材９００Ｂは第２導光部２１３の第１及び第２側面２１４ａ、２１４ｂに対応する側面９００Ｂのみを含んで第２方向Ｄ２にスライドしてバックライトアセンブリに結合して光源ユニット４２０、第２導光部２１３、及び第２反射部材２４０をカバーすることができる。
【０１５４】
これとは違って、放熱部材９００Ｂは、第２導光部２１３の第１〜第４側面２１４ａ、２１４ｂ、２１４ｃ、２１４ｄに対応する側面９１０Ｂを含んでバックライトアセンブリに結合して光源ユニット４２０、第２導光部２１３、及び第２反射部材２４０をカバーすることができる。
【０１５５】
放熱部材９００Ｂは金属物質を含んで光源ユニット４２０から発生する熱を外部に容易に放出することができる。
【０１５６】
本実施形態に係る導光板は、図１に図示した実施形態に係る導光板を採用したことを例として説明したが、図３、５に図示した実施形態に係る導光板を採用することができる。
【０１５７】
本実施形態によると、光源４２１が第２導光部２１３の第１及び第２側面２１４ａ、２１４ｂに対して所定角度で傾いて配置される。これによって、光源４２１から出射される光が第１反射部材２３０及び第２反射部材２４０に反射されて第２導光部２１３を介して第１導光部２１１に提供されたり、直接第２導光部２１３を介して第１導光部２１１に提供されたりする。従って、光源４２１から出射される光が向かい合う他の光源に提供されることを防止して、光の損失を減少させることができる。
【０１５８】
図８は本発明のさらに他の実施形態に係るバックライトアセンブリの断面図である。
【０１５９】
本実施形態に係るバックライトアセンブリは、光漏れ防止パターンを除いては図１に図示した実施形態に係るバックライトアセンブリと実質的に同一であるので、同じ構成に対して同じ参照番号を付与して、重複する説明は省略する。
【０１６０】
図８を参照すれば、本実施形態に係るバックライトアセンブリは、導光板２１０、光源ユニット２２０、第１反射部材２３０、第２反射部材２４０、光学部材２５０及び光漏れ防止パターン２６０を含む。
【０１６１】
光漏れ防止パターン２６０は第１反射部材２３０の下面にブラックまたはグレーが印刷されて形成される。
【０１６２】
光漏れ防止パターン２６０は第１反射部材２３０と第２導光部２１３との間に配置される。光源ユニット２２０の光源２２１に隣接した第２導光部２１３への光の輝度が光源２２１から離れた第２導光部２１３への光の輝度より大きいので、光源２２１に隣接した第２導光部２１３に対応する領域で光漏れが発生することがある。従って、光漏れ防止パターン２６０は、光源２２１に隣接した第２導光部２１３の上部に配置される。
【０１６３】
本実施形態に係る導光板は、図１に図示した実施形態に係る導光板を採用したことを例として説明したが、図３、５、７に図示した実施形態に係る導光板を採用することができる。
【０１６４】
本実施形態によると、光漏れ防止パターン２６０を光源２２１に隣接した第２導光部２１３の上部に配置することによって、光源２２１に隣接した第２導光部２１３に対応する領域での光漏れを防止することができる。
【０１６５】
図９は、本発明のさらに他の実施形態に係るバックライトアセンブリの断面図である。
【０１６６】
本実施形態に係るバックライトアセンブリは、光漏れ防止パターンを除いては図１に図示した実施形態に係るバックライトアセンブリと実質的に同一であるので、同じ構成に対して同じ参照番号を付与して、重複する説明は省略する。
【０１６７】
図９を参照すれば、本実施形態に係るバックライトアセンブリは、導光板２１０、光源ユニット２２０、第１反射部材２３０、第２反射部材２４０、光学部材２５０及び光漏れ防止パターン２６０Ａを含む。
【０１６８】
光漏れ防止パターン２６０Ａは、第１反射部材２３０の下面にブラックまたは、グレー印刷されて形成される。
【０１６９】
光漏れ防止パターン２６０Ａは、第１反射部材２３０と光源ユニット２２０の光源２２１と第２導光部２１３との間に配置される。光源２２１及び光源２２１に隣接した第２導光部２１３への光の輝度が、光源２２１が配置されていない領域及び光源２２１から離れた第２導光部２１３への光の輝度より大きいので、光源２２１及び光源２２１に隣接した第２導光部２１３に対応する領域で光漏れが発生することがある。従って、光漏れ防止パターン２６０Ａは光源２２１及び光源２２１に隣接した第２導光部２１３の上部に配置される。
【０１７０】
本実施形態に係る導光板は、図１に図示した実施形態に係る導光板を採用したことを例として説明したが、図３、５、７に図示した実施形態に係る導光板を採用することができる。
【０１７１】
本実施形態によると、光漏れ防止パターン２６０Ａは、光源２２１及び光源２２１に隣接した第２導光部２１３の上部に配置することによって、光源２２１及び光源２２１に隣接した第２導光部２１３に対応する領域での光漏れを防止することができる。
【０１７２】
図１０は、本発明のさらに他の実施形態に係るバックライトアセンブリの断面図である。
【０１７３】
本実施形態に係るバックライトアセンブリは第２導光部及び連結部を除いては図１に図示した実施形態に係るバックライトアセンブリと実質的に同一であるので、同じ構成に対して同じ参照番号を付与して、重複する説明は省略する。
【０１７４】
図１０を参照すれば、本実施形態に係るバックライトアセンブリは、導光板６１０、光源ユニット２２０、第１反射部材２３０、第２反射部材２４０、及び光学部材２５０を含む。
【０１７５】
導光板６１０は、第１導光部２１１及び第２導光部６１３を含む。本実施形態において、導光板６１０は互いに分離した第１導光部２１１及び第２導光部６１３を含む。しかし、第１導光部２１１が第２導光部６１３と一体で形成されることもできる。この時、導光板６１０は射出成形されてもよい。
【０１７６】
第２導光部６１３は、第１導光部２１１の第１側面２１２ａと第２側面２１２ｂとの間の中心に隣接した第１導光部２１１下部に配置される。第２導光部６１３は、平面上第１方向Ｄ１への第３幅Ｗ３及び第２方向Ｄ２への第４幅Ｗ４を有する四角形状を有する。
【０１７７】
例えば、第２導光部６１３は第１側面６１４ａ及び第１側面６１４ａと対向する第２側面６１４ｂ、第１側面６１４ａから延伸して第１導光部２１１の下面に連結される第１傾斜面６１４ｅ及び第１傾斜面６１４ｅと向かい合い、第２側面６１４ｂから延伸して第１導光部２１１の下面に連結される第２傾斜面６１４ｆを有してもよい。第１傾斜面６１４ｅは第１導光部２１１の下面に対して鋭角をなし、第２導光部６１３の第１側面６１４ａに対して鈍角をなす。第２傾斜面６１５ｆは、第１導光部２１１の下面に対して鋭角をなし、第２導光部６１３の第２側面６１４ｂに対して鈍角をなす。第２導光部６１３の第１側面６１４ａは、第１方向Ｄ１において、第１導光部２１１の第１側面２１２ａが第１導光部２１１の第２側面２１２ｂと第１方向Ｄ１に離隔された第１幅Ｗ１より小さい第３幅Ｗ３ほど、第２導光部６１３の第２側面６１４ｂと離隔されてもよい。
【０１７８】
第１導光部２１１の下面に連結される第１傾斜面６１４ｅの第１端部は、第１導光部２１１の下面に連結される第２傾斜面６１４ｆの第１端部と第１方向Ｄ１に第３幅Ｗ３より小さい第５幅Ｗ５ほど離隔されてもよい。
【０１７９】
第１導光部２１１の下面と第１傾斜面６１４ｅは、断面相が「Ｖ」字状の溝Ｇを形成する。第１導光部２１１の下面が第１傾斜面６１４ｅと接続する点は、尖っているか、または、弧状であってもよい。
【０１８０】
第１反射部材２３０の第１端縁は、溝Ｇに挿入されて固定される。第１反射部材２３０の第１端縁は溝Ｇの内端ｇから所定間隔離隔されて配置される。
【０１８１】
表示装置４０００は、第１反射部材２３０の下面にブラックまたはグレーで印刷されて形成された光漏れ防止パターン（図示せず）をさらに含んでもよい。
【０１８２】
本実施形態によると、溝Ｇを「Ｖ」字状で形成することによって、導光板６１０を射出工程で容易に形成することができる。
【０１８３】
また、溝Ｇを「Ｖ」字状で形成することによって、本実施形態に係る溝Ｇの内端ｇは図１に図示した実施形態に係る連結部２１５の側面より短いので、内端ｇによって散乱を防止することができる。図１１は、本発明のさらに他の実施形態に係るバックライトアセンブリの断面図である。
【０１８４】
本実施形態に係るバックライトアセンブリは、第２導光部及び連結部を除いては図１に図示した実施形態に係るバックライトアセンブリと実質的に同一であるので、同じ構成に対して同じ参照番号を付与して、重複する説明は省略する。
【０１８５】
図１１を参照すれば、本実施形態に係るバックライトアセンブリは導光板７１０、光源ユニット２２０、第１反射部材２３０、第２反射部材２４０、及び光学部材２５０を含む。
【０１８６】
導光板７１０は、第１導光部２１１及び第２導光部７１３を含む。本実施形態において、導光板７１０は互いに分離した第１導光部２１１及び第２導光部７１３を含む。しかし、第１導光部２１１が第２導光部７１３と一体で形成されることもできる。この時、導光板７１０は「Ｔ」字状で射出成形されてもよい。
【０１８７】
第２導光部７１３は、第１導光部２１１の第１側面２１２ａと第２側面２１２ｂとの間の中心に隣接した第１導光部２１１下部に配置される。第２導光部７１３は平面上第１方向Ｄ１への第３幅Ｗ３及び第２方向Ｄ２への第４幅Ｗ４を有する四角形状を有する。
【０１８８】
第２導光部７１３は第１側面７１４ａ、第１側面７１４ａと対向する第２側面７１４ｂ、第１側面７１４ａから延伸して第１導光部２１１の下面に連結されて第１導光部２１１の下面に向かって突出した第１凸面７１４ｅ及び第１凸面７１４ｅと向かい合って第２側面７１４ｂから延伸して第１導光部２１１の下面に連結され、第１導光部２１１の下面に向かって突出した第２凸面７１４ｆを有してもよい。第１側面７１４ａは、第１方向Ｄ１において、第１導光部２１１の第１側面２１２ａが第１導光部２１１の第２側面２１２ｂと第１方向Ｄ１に離隔された第１幅Ｗ１より小さい第３幅Ｗ３ほど、第２側面７１４ｂと離隔されてもよい。
【０１８９】
第１導光部２１１の下面に連結される第１凸面７１４ｅの第１端部は、第１導光部２１１の下面に連結される第２凸面７１４ｆの第１端部と第１方向Ｄ１に第３幅Ｗ３より小さい第５幅Ｗ５ほど離隔されてもよい。
【０１９０】
第１導光部２１１の下面と第１凸面７１４ｅは「Ｖ」字状の溝Ｇを形成する。第１導光部２１１の下面が第１傾斜面７１４ｅと接続する点は、尖っているか、または、弧状であってもよい。
【０１９１】
第１反射部材２３０の第１端縁は、溝Ｇに挿入されて固定される。第１反射部材２３０の第１端縁は溝Ｇの内端ｇから所定間隔離隔されて配置される。
【０１９２】
表示装置４０００Ａは、第１反射部材２３０の下面にブラックまたはグレーで印刷されて形成された光漏れ防止パターン（図示せず）をさらに含んでもよい。
【０１９３】
本実施形態によると、溝Ｇを「Ｖ」字状で形成することによって、導光板６１０を射出工程で容易に形成することができる。
【０１９４】
また、溝Ｇを「Ｖ」字状で形成することによって、溝Ｇの内端ｇの長さが図１に図示した実施形態に係る連結部２１５の側面の長さより小さくなる。これによって、光源２２１から出射された光が内端ｇによって散乱されることが防止される。
【０１９５】
図１２は、本発明のさらに他の実施形態に係るバックライトアセンブリの断面図である。
【０１９６】
本実施形態に係るバックライトアセンブリは、第２導光部、第２反射部材、及び収納容器を除いては図１に図示した実施形態に係るバックライトアセンブリと実質的に同一であるので、同じ構成に対して同じ参照番号を付与して、重複する説明は省略する。
【０１９７】
図１２を参照すれば、本実施形態に係るバックライトアセンブリは、導光板８１０、光源ユニット２２０、第１反射部材２３０、第２反射部材２４０Ａ、及び光学部材２５０を含む。
【０１９８】
導光板８１０は、第１導光部２１１、第２導光部８１３、及び連結部２１５を含む。本実施形態において、導光板８１０は、互いに分離した第１導光部２１１及び第２導光部８１３を含む。しかし、第１導光部２１１が第２導光部８１３と一体で形成されることもできる。この時、導光板８１０は「Ｔ」字状で射出成形されてもよい。
【０１９９】
第２導光部８１３は第１導光部２１１の第１側面２１２ａと第２側面２１２ｂとの間の中心に隣接した第１導光部２１１下部に配置される。第２導光部８１３は、平面上第１方向Ｄ１への第３幅Ｗ３及び第２方向Ｄ２への第４幅Ｗ４を有する四角形状を有する。
【０２００】
第２導光部８１３は、第１側面８１４ａ、第１側面８１４ａと対向する第２側面８１４ｂ、第１導光部２１１から離れた第１側面８１４ａの第１端部から延伸して第１側面８１４ａに対して鋭角（θ）をなす第１傾斜面８１４ｅ、並びに、第１傾斜面８１４ｅから延伸して第１傾斜面８１４ｅ及び第１導光部８１１から離れた第２側面８１４ｂの第１端部を連結し、第２側面８１４ｂに対して鋭角（θ）をなす第２傾斜面８１４ｆを有してもよい。
【０２０１】
従って、第２導光部８１３の下面は第１及び第２傾斜面８１４ｅ、８１４ｆにより「Ｖ」字状の面を形成する。第１傾斜面８１４ｅが第２傾斜面８１４ｆと接続する点は、尖っているか、または、弧状であってもよい。
【０２０２】
第１側面８１４ａは、第２側面８１４ｂと第１方向Ｄ１に第１幅Ｗ１より小さい第３幅Ｗ３ほど離隔されてもよい。
【０２０３】
第２反射部材２４０Ａは、第２導光部２１３及び光源ユニット２２０の下部に配置される。第２反射部材２４０Ａは、第１傾斜面８１４ｅに対応する第１反射部２４１、及び、第２傾斜面８１４ｆに対応する第２反射部２４２を含む。第１及び第２反射部２４１、２４２は、第２導光部８１３の第１及び第２側面８１４ａ、８１４ｂに平行な光源ユニット２２０の印刷回路基板ＰＣＢ２２２に対して鋭角（θ）をなす。第１反射部２４１は、第１傾斜面８１４ｅから第２導光部８１３の第１側面８１４ａに隣接した光源ユニット２２０まで延伸し、第２反射部２４２は第２傾斜面８１４ｆから第２導光部８１３の第２側面８１４ｂに隣接した光源ユニット２２０まで延伸される。
【０２０４】
第２反射部材２４０Ａは第１方向Ｄ１に第３幅Ｗ３より大きい第６幅Ｗ６を有してもよい。第２反射部材２４０Ａは、光を第２導光部８１３に反射する。
【０２０５】
本実施形態に係る放熱部材９００Ｃは、側面９１０Ｃ、及び、側面９１０Ｃを連結する底面９２０Ｃを含む。側面９１０Ｃは、第２導光部８１３の第１及び第２側面８１４ａ、８１４ｂと平行である。底面９２０Ｃは、第１傾斜面８１４ｅに対応する第１底部９２１及び第２傾斜面８１４ｆに対応する第２底部９２２を含む。第１及び第２底部９２１、９２２は、側面９１０Ｃに対して鋭角（θ）をなす。
【０２０６】
本実施形態に係る導光板の連結部は、図１に図示した実施形態に係る導光板の連結部を採用したことを例として説明したが、図３、５、７に図示した実施形態に係る導光板の連結部を採用することができる。
【０２０７】
本実施形態によると、光源２２１から出射された光が光源ユニット２２０のＰＣＢ２２２によって傾斜した第２反射部材２４０Ａの第１及び第２反射部２４１、２４２によって反射することによって、光の経路を短くすることができる。従って、光源２２１から出射された光が第２導光部８１３を経て第１導光部２１１に効率的に提供される。
【０２０８】
図１３は本発明のさらに他の実施形態に係るバックライトアセンブリの断面図である。
【０２０９】
本実施形態に係るバックライトアセンブリはバックライトアセンブリ及び収納容器を除いては図１に図示した実施形態に係るバックライトアセンブリと実質的に同一であるので、同じ構成に対して同じ参照番号を付与して、重複する説明は省略する。
【０２１０】
図１３を参照すれば、本実施形態に係るバックライトアセンブリは、第１導光部２１１、複数のバックライト部ＢＬＵ及び光学部材２５０を含む。
【０２１１】
複数のバックライト部ＢＬＵは、第１導光部２１１の第１側面２１２ａと第２側面２１２ｂとの間に第１導光部２１１の下部に配置される。複数のバックライト部ＢＬＵは、所定間隔離隔されて配置されて表示装置７０００の輝度を均一に維持する。
【０２１２】
一つのバックライト部ＢＬＵは、第２導光部２１３、連結部２１５、光源ユニット２２０、第１反射部材２３０、第２反射部材２４０、及び放熱部材９００を含む。バックライト部ＢＬＵの第２導光部２１３、光源ユニット２２０、第１反射部材２３０、第２反射部材２４０、光学部材２５０、及び放熱部材９００は、図１に図示した実施形態の構成と実質的に同一である。
【０２１３】
本実施形態に係る導光板の連結部は図１に図示した実施形態に係る導光板の連結部を採用したことを例として説明したが、図３、５、７に図示した実施形態に係る導光板の連結部を採用することができる。
【０２１４】
本実施形態によると、複数のバックライト部ＢＬＵを大型の表示装置に採用することによって、均一な輝度を表示することができる。
【０２１５】
図１４は、本発明のさらに他の実施形態に係るバックライトアセンブリの断面図である。
【０２１６】
本実施形態に係るバックライト導光板は、連結部を除いて図１に図示した実施形態に係るバックライトアセンブリと実質的に同一であるので、同じ構成に対して同じ参照番号を付与して、重複する説明は省略する。
【０２１７】
図１４を参照すれば、本実施形態に係る導光板２１０Ａは、第１導光部２１１Ａ、及び第２導光部２１３Ａを含む。第２導光部２１３Ａは、第１導光部２１１Ａから延伸して「Ｔ」字状を有する。本実施形態において、導光板２１０ａは互いに分離した第１導光部２１１ａ及び第２導光部２１３ａを含む。しかし、第１導光部２１１ａが第２導光部２１３ａと一体で形成されることもできる。この時、導光板２１０ａは「Ｔ」字状で射出成形されてもよい。
【０２１８】
本実施形態によると、光源ユニットが第１導光部２１１Ａの下部に配置されることによって、表示装置のベゼルのサイズを減少させることができる。
【０２１９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと理解されるはずである。
【産業上の利用可能性】
【０２２０】
本発明によれば、光源ユニットが画像を表示する表示領域と重複して配置されることによって、表示領域を囲むベゼル領域のサイズを減少させることができる。
【０２２１】
また、光源ユニットが第１反射部材下部に配置されることによって、光漏れ及びホットスポット（ｈｏｔ  ｓｐｏｔ）の発生を防止することができる。
【０２２２】
また、導光板の第２導光部の形状を変更することによって、導光板の第１導光部に光を効率的にガイドすることができる。
【０２２３】
従って、表示装置に視認される輝線または暗線の発生を防止することができる。
【符号の説明】
【０２２４】
１０００…表示装置
１００…表示パネル
２００…バックライトアセンブリ
２１０、３１０、４１０、５１０、６１０、７１０、８１０…導光板
２１１、４１１…第１導光部
２１３、４１３、６１３、７１３、８１３…第２導光部
２２０、３２０、４２０…光源ユニット
２３０…第１反射部材
２４０…第２反射部材
２５０…光学部材
９００、９００Ａ、９００Ｂ、９００Ｃ…放熱部材 
【図１】
2013041827.tif 000003
【図２】
2013041827.tif 000004
【図３】
2013041827.tif 000005
【図４】
2013041827.tif 000006
【図５】
2013041827.tif 000007
【図６】
2013041827.tif 000008
【図７】
2013041827.tif 000009
【図８】
2013041827.tif 000010
【図９】
2013041827.tif 000011
【図１０】
2013041827.tif 000012
【図１１】
2013041827.tif 000013
【図１２】
2013041827.tif 000014
【図１３】
2013041827.tif 000015
【図１４】
2013041827.tif 000016